(57)【要約】【課題】高解像度の画像処理を実行して高画質化を実現する。【解決手段】画像形成装置であって、第１解像度の画像データ、および、画素が文字または線を構成する画素であるか否かを示すタグ情報を生成する画像処理部と、第１解像度の画像データを第１解像度より高い第２解像度の画像データに変換する解像度変換部と、第２解像度の画像データに応じて光源を駆動する光源駆動部と、を備え、解像度変換部は、対象画素および対象画素の周囲の画素を含む領域における第１解像度の画像データおよびタグ情報であるイメージマトリクスを取得するイメージマトリクス取得部と、イメージマトリクスに基づき、対象画素が文字または線のエッジを構成する画素であるか否かを判断するパターンマッチング部と、エッジを構成する画素である場合、対象画素を配置に対応して定められるパターンの第２解像度の画像データに変換する第１変換部とを有する。【選択図】図１２
2016021664.tif 000002
【特許請求の範囲】
【請求項１】
光源から発光された光に応じた画像を形成する画像形成装置であって、
入力画像データに基づき、第１解像度の画像データ、および、前記画像データのそれぞれの画素が文字または線を構成する画素であるか否かを示すタグ情報を生成する画像処理部と、
前記第１解像度の画像データから対象画素を順次に選択し、対象画素毎に、前記第１解像度の画像データを前記第１解像度より高い第２解像度の画像データに変換する解像度変換部と、
前記第２解像度の画像データに応じた変調信号により前記光源を駆動する光源駆動部と、
を備え、
前記解像度変換部は、
前記対象画素および前記対象画素の周囲の画素を含む領域における前記第１解像度の画像データおよび前記タグ情報であるイメージマトリクスを取得するイメージマトリクス取得部と、
前記イメージマトリクス内における前記画像データおよび前記タグ情報の配置に基づき、前記対象画素が文字または線のエッジを構成する画素であるか否かを判断するパターンマッチング部と、
前記対象画素が文字または線のエッジを構成する画素である場合、前記配置に対応して定められるパターンの前記第２解像度の画像データに変換する第１変換部と、
を有する画像形成装置。
【請求項２】
前記対象画素が文字又は線のエッジを構成する画素ではない場合、前記対象画素の値に応じたパターンの前記第２解像度の画像データに変換する第２変換部をさらに備える
請求項１に記載の画像形成装置。
【請求項３】
前記画像処理部は、前記第１解像度の画像データに含まれる、文字または線を構成する画素に、文字または線であることを示すタグ情報を割り当て、
前記第１変換部は、前記対象画素を、文字または線を細線化する画像処理を行ったパターンの第２解像度の画像データに変換する
請求項１または２に記載の画像形成装置。
【請求項４】
前記画像処理部は、前記第１解像度の画像データに含まれる、白抜きの文字または線を構成する画素に、文字または線であることを示すタグ情報を割り当て、
前記第１変換部は、前記対象画素を、白抜きの文字または線を太線化する画像処理を行ったパターンの第２解像度の画像データに変換する
請求項１または２に記載の画像形成装置。
【請求項５】
前記第１変換部は、出力する前記第２解像度の画像データのパターンに対応させて、前記光源のパワー変更を指示するパワー変更信号を出力し、
前記画像形成装置は、前記パワー変更信号が出力された画素に対して、前記光源から出力される光のパワーを変更するパワー制御部をさらに備える
請求項１から４の何れか１項に記載の画像形成装置。
【請求項６】
前記パワー制御部は、前記パワー変更信号が出力されていない画素について、第１のパワーで前記光源を発光させ、前記パワー変更信号が出力された画素について前記第１のパワーより高い第２のパワーで光源を発光させる
請求項５に記載の画像形成装置。
【請求項７】
前記解像度変換部および前記光源駆動部は、単一の集積デバイスに集積されている
請求項１から６の何れか１項に記載の画像形成装置。
【請求項８】
前記光源は、垂直共振器面発光レーザである
請求項１から７の何れか１項に記載の画像形成装置。
【発明の詳細な説明】
【技術分野】
【０００１】
本発明は、画像形成装置に関する。
【背景技術】
【０００２】
近年、電子写真プロセスを用いたデジタル印刷機が、プロダクションプリンティング分野で盛んに用いられるようになってきている。このため、電子写真プロセスを用いたデジタル印刷機は、高画質化、高信頼化が要求されている。特に、電子写真プロセスを用いたデジタル印刷機は、細線の再現性の向上、文字再現性の向上（例えば２から３ポイントに相当する微小サイズの文字の再現性向上）、電子写真プロセス由来の文字太りの抑制、および、色ずれ精度の向上等が要求されている。
【０００３】
高画質化を実現することを目的として、電子写真プロセスを用いたデジタル印刷機は、画像データを画像処理により補正する画像処理部を備える。この画像処理部は、例えば、１２００ｄｐｉ（dots  per  inch）または２４００ｄｐｉの高解像度かつ多ビットデータで画像処理を実行する。
【０００４】
また、電子写真プロセスを用いたデジタル印刷機は、感光性を有する被走査面として表面が機能する感光体ドラム、レーザ光を射出する光源、光源からのレーザ光を偏向するポリゴンミラー、および、ポリゴンミラーで偏向されたレーザ光を感光体ドラムの表面（被走査面）に導く走査光学系等を備える。電子写真プロセスを用いたデジタル印刷機は、光源からの出射される光束を画像データに応じて変調し、光源からの光束を被走査面に照射するとともに、被走査面を光束で走査することによって、感光体ドラム上に画像データに応じた静電潜像を形成する。
【０００５】
このような構成の電子写真プロセスを用いたデジタル印刷機は、光源として、ＬＤＡ（Laser  Diode  Array）またはＶＣＳＥＬ（垂直共振器面発光レーザ）等の複数の発光点を有する素子を用いる。これにより、電子写真プロセスを用いたデジタル印刷機は、１２００ｄｐｉの画像データよりも解像度が高い、例えば２４００ｄｐｉまたは４８００ｄｐｉの静電潜像を形成することができる。
【０００６】
特許文献１および特許文献２には、画像処理部での処理によって、画像中の白抜き部分を検知し、白抜きラインを拡張したり、白抜き文字周辺の画素を補正したりすることで、反転文字の潰れを防ぎ、文字再現性向上を図る技術が記載されている。また、特許文献３には、多値データによるテンプレートマッチングを用いて、コントローラで細線化およびスムージングを同時に実行する技術が記載されている。
【発明の概要】
【発明が解決しようとする課題】
【０００７】
ところで、高密度な画像処理を実行した場合、画像処理部から下流の光源駆動回路へのデータ転送に問題が生じる。画像処理部で扱う解像度を例えば２４００ｄｐｉまたは４８００ｄｐｉの多ビットデータとすると、画像処理の自由度が高まり、また、１２００ｄｐｉの微小な文字およびラインに対して再現性を向上させることができる。しかし、高密度な画像処理を実行した場合、画像処理部から下流側の光源駆動回路へ転送しなければならないデータ量が膨大となってしまい、生産性に対して律速になってしまう。
【０００８】
また、微小の文字等の再現性の向上を図るための処理を全て上流の画像処理部により実行すると、処理が複雑となり画像処理部の負担が大きくなってしまう。
【０００９】
本発明は、上記に鑑みてなされたものであって、画像データのデータ転送量を増加させることなく、高い解像度での画像処理を実行して高画質化を実現する画像形成装置を提供することを目的とする。
【課題を解決するための手段】
【００１０】
上述した課題を解決し、目的を達成するために、光源から発光された光に応じた画像を形成する画像形成装置であって、入力画像データに基づき、第１解像度の画像データ、および、前記画像データのそれぞれの画素が文字または線を構成する画素であるか否かを示すタグ情報を生成する画像処理部と、前記第１解像度の画像データから対象画素を順次に選択し、対象画素毎に、前記第１解像度の画像データを前記第１解像度より高い第２解像度の画像データに変換する解像度変換部と、前記第２解像度の画像データに応じた変調信号により前記光源を駆動する光源駆動部と、を備え、前記解像度変換部は、前記対象画素および前記対象画素の周囲の画素を含む領域における前記第１解像度の画像データおよび前記タグ情報であるイメージマトリクスを取得するイメージマトリクス取得部と、前記イメージマトリクス内における前記画像データおよび前記タグ情報の配置に基づき、前記対象画素が文字または線のエッジを構成する画素であるか否かを判断するパターンマッチング部と、前記対象画素が文字または線のエッジを構成する画素である場合、前記配置に対応して定められるパターンの前記第２解像度の画像データに変換する第１変換部と、を有する。
【発明の効果】
【００１１】
本発明によれば、画像データのデータ転送量を増加させることなく、高い解像度での画像処理を実行して高画質化を実現することができる。
【図面の簡単な説明】
【００１２】
【図１】図１は、実施形態のカラープリンタ２０００の概略構成を示す図である。
【図２】図２は、光学センサ２２４５ａ，２２４５ｂ，２２４５ｃの配置の一例を示す図である。
【図３】図３は、光学センサ２２４５ａ，２２４５ｂ，２２４５ｃの構成を示す図である。
【図４】図４は、光走査装置２０１０の光学系の構成を示す図である。
【図５】図５は、光源２２００ａからポリゴンミラー２１０４までの光路、および、光源２２００ｂからポリゴンミラー２１０４までの光路の一例を示す図である。
【図６】図６は、光源２２００ｃからポリゴンミラー２１０４までの光路、および、光源２２００ｄからポリゴンミラー２１０４までの光路の一例を示す図である。
【図７】図７は、ポリゴンミラー２１０４からそれぞれの感光体ドラム２０３０への光路の一例を示す図である。
【図８】図８は、光走査装置２０１０の電気系の構成を示す図である。
【図９】図９は、インターフェイスユニット３１０１の構成を示す図である。
【図１０】図１０は、画像処理ユニット３１０２の構成を示す図である。
【図１１】図１１は、駆動制御ユニット３１０３の構成を示す図である。
【図１２】図１２は、変調信号生成部３２３３の構成を示す図である。
【図１３】図１３は、解像度変換前の第１解像度（２４００ｄｐｉ）の画像データおよびタグ情報のビットの配置と、解像度変換後の第２解像度（４８００ｄｐｉ）の画像データおよびタグ情報のビットの配置を示す図である。
【図１４】図１４は、解像度変換部３２５２の構成を示す図である。
【図１５】図１５は、第１解像度（２４００ｄｐｉ）の対象画素と、通常パターンへの変換後の第２解像度（４８００ｄｐｉ）の画像データおよびタグ情報を示す図である。
【図１６】図１６は、２４００ｄｐｉの黒画素の線画の一例を示す図である。
【図１７】図１７は、イメージマトリクスの形状および大きさの一例を示す図である。
【図１８】図１８は、対象画素が線画のエッジを構成する画素であるかを判断するための、イメージマトリクスの配置の第１例を示す図である。
【図１９】図１９は、対象画素が線画のエッジを構成する画素であるかを判断するための、イメージマトリクスの配置の第２例を示す図である。
【図２０】図２０は、対象画素が線画のエッジを構成する画素であるかを判断するための、イメージマトリクスの配置の第３例を示す図である。
【図２１】図２１は、変換後のパターンの一例を示す図である。
【図２２】図２２は、図１９のＵおよび図２０のＡＧのイメージマトリクスに含まれる対象画素を高解像度化する場合の第１の変換例を示す図である。
【図２３】図２３は、２４００ｄｐｉの黒画素の線画と、４８００ｄｐｉに高解像度化した後の黒画素の線画の一例を示す図である。
【図２４】図２４は、図１９のＵおよび図２０のＡＧのイメージマトリクスに含まれる対象画素を高解像度化する場合の第２の変換例を示す図である。
【図２５】図２５は、図１９のＵおよび図２０のＡＧのイメージマトリクスに含まれる対象画素を高解像度化する場合の第３の変換例を示す図である。
【図２６】図２６は、２４００ｄｐｉの白抜きの線画の一例を示す図である。
【図２７】図２７は、対象画素が、白抜きの線画のエッジを構成する画素であるかを判断するための、イメージマトリクスの配置の第１例を示す図である。
【図２８】図２８は、対象画素が、白抜きの線画のエッジを構成する画素であるかを判断するための、イメージマトリクスの配置の第２例を示す図である。
【図２９】図２９は、図２７のＢＩおよび図２８のＢＵのイメージマトリクスに含まれる対象画素を高解像度化する場合の変換例を示す図である。
【図３０】図３０は、２４００ｄｐｉの白抜きの線画と、４８００ｄｐｉに高解像度化した後の白抜きの線画の一例を示す図である。
【図３１】図３１は、変形例に係る変調信号生成部３２３３の構成を示す図である。
【図３２】図３２は、パワー変更パターンの一例を示す図である。
【図３３】図３３は、パワー変更をした場合の処理例を示す図である。
【図３４】図３４は、タグ情報の割り当て例を示す図である。
【発明を実施するための形態】
【００１３】
以下に添付図面を参照して、本発明の実施形態である、画像形成装置の一例としてカラープリンタ２０００を詳細に説明する。
【００１４】
図１は、実施形態のカラープリンタ２０００の概略構成を示す図である。カラープリンタ２０００は、記録紙（対象物）にトナーを転写して印刷物を製造する。カラープリンタ２０００は、４色（ブラック、シアン、マゼンタ、イエロー）を重ね合わせてフルカラーの画像を形成するタンデム方式の多色カラープリンタである。
【００１５】
カラープリンタ２０００は、光走査装置２０１０と、４つの感光体ドラム２０３０ａ，２０３０ｂ，２０３０ｃ，２０３０ｄ（４つを総称する場合には感光体ドラム２０３０と称する。）と、４つのクリーニングユニット２０３１ａ，２０３１ｂ，２０３１ｃ，２０３１ｄ（４つを総称する場合にはクリーニングユニット２０３１と称する。）と、４つの帯電装置２０３２ａ，２０３２ｂ，２０３２ｃ，２０３２ｄ（４つを総称する場合には帯電装置２０３２と称する。）とを備える。さらに、カラープリンタ２０００は、４つの現像ローラ２０３３ａ，２０３３ｂ，２０３３ｃ，２０３３ｄ（４つを総称する場合には現像ローラ２０３３と称する。）と、４つのトナーカートリッジ２０３４ａ，２０３４ｂ，２０３４ｃ，２０３４ｄ（４つを総称する場合にはトナーカートリッジ２０３４と称する。）とを備える。さらに、カラープリンタ２０００は、転写ベルト２０４０と、転写ローラ２０４２と、定着ローラ２０５０と、給紙コロ２０５４と、レジストローラ対２０５６と、排紙ローラ２０５８と、給紙トレイ２０６０と、排紙トレイ２０７０と、通信制御装置２０８０と、濃度検出器２２４５と、４つのホームポジションセンサ２２４６ａ，２２４６ｂ，２２４６ｃ，２２４６ｄ（４つを総称する場合にはホームポジションセンサ２２４６と称する。）と、プリンタ制御装置２０９０とを備える。
【００１６】
通信制御装置２０８０は、ネットワーク等を介した上位装置（例えばコンピュータ）との双方向の通信を制御する。
【００１７】
プリンタ制御装置２０９０は、カラープリンタ２０００に備えられるそれぞれの部を統括的に制御する。プリンタ制御装置２０９０は、ＣＰＵ（Central  Processing  Unit）、ＣＰＵで実行されるコードで記述されたプログラムおよびプログラムを実行する際に用いられる各種データが格納されているＲＯＭ、作業用のメモリであるＲＡＭ、アナログデータをデジタルデータに変換するＡＤ変換回路等を有する。そして、プリンタ制御装置２０９０は、上位装置からの要求に応じてそれぞれの部を制御するとともに、上位装置からの画像データを光走査装置２０１０に送る。
【００１８】
感光体ドラム２０３０ａ、帯電装置２０３２ａ、現像ローラ２０３３ａ、トナーカートリッジ２０３４ａ、およびクリーニングユニット２０３１ａは、一組で使用される。これらは、ブラックの画像を形成する画像形成ステーション（Ｋステーションという場合もある）を構成する。
【００１９】
感光体ドラム２０３０ｂ、帯電装置２０３２ｂ、現像ローラ２０３３ｂ、トナーカートリッジ２０３４ｂ、およびクリーニングユニット２０３１ｂは、一組で使用される。これらは、シアンの画像を形成する画像形成ステーション（Ｃステーションという場合もある）を構成する。
【００２０】
感光体ドラム２０３０ｃ、帯電装置２０３２ｃ、現像ローラ２０３３ｃ、トナーカートリッジ２０３４ｃ、およびクリーニングユニット２０３１ｃは、一組で使用される。これらは、マゼンタの画像を形成する画像形成ステーション（Ｍステーションという場合もある）を構成する。
【００２１】
感光体ドラム２０３０ｄ、帯電装置２０３２ｄ、現像ローラ２０３３ｄ、トナーカートリッジ２０３４ｄ、およびクリーニングユニット２０３１ｄは、一組で使用される。これらは、イエローの画像を形成する画像形成ステーション（Ｙステーションという場合もある）を構成する。
【００２２】
それぞれの感光体ドラム２０３０は、潜像担持体の一例であり、何れも、その表面に感光層が形成されている。すなわち、それぞれの感光体ドラム２０３０の表面は、被走査面となる。なお、感光体ドラム２０３０ａ，２０３０ｂ，２０３０ｃ，２０３０ｄは、回転軸が平行に並んで配置され、例えば全て同一の方向（例えば図１における面内で矢印方向）に回転する。
【００２３】
なお、ここでは、ＸＹＺ３次元直交座標系において、それぞれの感光体ドラム２０３０の中心軸に平行な方向をＹ軸方向、それぞれの感光体ドラム２０３０の配列方向に沿った方向をＸ軸方向として説明する。
【００２４】
それぞれの帯電装置２０３２は、対応する感光体ドラム２０３０の表面をそれぞれ均一に帯電させる。光走査装置２０１０は、画像データ（ブラック画像データ、シアン画像データ、マゼンタ画像データ、イエロー画像データ）に基づいて、色毎に変調された光束を、対応する帯電された感光体ドラム２０３０の表面にそれぞれ照射する。これにより、それぞれの感光体ドラム２０３０の表面では、光が照射された部分だけ電荷が消失し、画像データに対応した潜像がそれぞれの感光体ドラム２０３０の表面にそれぞれ形成される。ここで形成された潜像は、感光体ドラム２０３０の回転に伴って対応する現像ローラ２０３３の方向に移動する。なお、この光走査装置２０１０の構成については詳細を後述する。
【００２５】
ところで、それぞれの感光体ドラム２０３０において、画像データが書き込まれる領域は、「有効走査領域」、「画像形成領域」、「有効画像領域」などと呼ばれている。
【００２６】
トナーカートリッジ２０３４ａには、ブラックトナーが格納されている。ブラックトナーは、現像ローラ２０３３ａに供給される。トナーカートリッジ２０３４ｂには、シアントナーが格納されている。シアントナーは、現像ローラ２０３３ｂに供給される。トナーカートリッジ２０３４ｃには、マゼンタトナーが格納されている。マゼンタトナーは、現像ローラ２０３３ｃに供給される。トナーカートリッジ２０３４ｄには、イエロートナーが格納されている。イエロートナーは、現像ローラ２０３３ｄに供給される。
【００２７】
それぞれの現像ローラ２０３３は、回転に伴って、対応するトナーカートリッジ２０３４からのトナーが、その表面に薄く均一に塗布される。そして、それぞれの現像ローラ２０３３の表面のトナーは、対応する感光体ドラム２０３０の表面に接すると、この表面における光が照射された部分にだけ移行し、そこに付着する。すなわち、それぞれの現像ローラ２０３３は、対応する感光体ドラム２０３０の表面に形成された潜像にトナーを付着させて顕像化させる。
【００２８】
転写ベルト２０４０は、ベルト回転機構に掛け渡されて、一定方向に回転する。転写ベルト２０４０は、外側の面が、それぞれの感光体ドラム２０３０ａ，２０３０ｂ，２０３０ｃ，２０３０ｄの表面に、光走査装置２０１０とは反対側の位置で接触する。また、転写ベルト２０４０は、外側の面が、転写ローラ２０４２と接触する。
【００２９】
ここで、それぞれの感光体ドラム２０３０の表面上におけるトナーが付着した像（トナー画像）は、感光体ドラム２０３０の回転に伴って転写ベルト２０４０の方向に移動する。そして、イエロー、マゼンタ、シアン、ブラックのそれぞれのトナー画像は、所定のタイミングで転写ベルト２０４０上に順次転写され、重ね合わされてカラー画像が形成される。転写ベルト２０４０上に形成されたカラー画像は、転写ベルト２０４０の移動に伴い、転写ローラ２０４２の方向に移動する。
【００３０】
給紙トレイ２０６０には、記録紙が格納されている。この給紙トレイ２０６０の近傍には、給紙コロ２０５４が配置されている。給紙コロ２０５４は、記録紙を給紙トレイ２０６０から１枚ずつ取り出し、レジストローラ対２０５６に搬送する。
【００３１】
レジストローラ対２０５６は、所定のタイミングで記録紙を転写ベルト２０４０と転写ローラ２０４２との間隙に向けて送り出す。これにより、転写ベルト２０４０上のカラー画像は、記録紙に転写される。ここで転写された記録紙は、定着ローラ２０５０に送られる。
【００３２】
定着ローラ２０５０は、熱と圧力とを記録紙に加える。これにより、定着ローラ２０５０は、トナーを記録紙上に定着させることができる。トナーが定着された記録紙は、排紙ローラ２０５８を介して排紙トレイ２０７０に送られ、排紙トレイ２０７０上に順次スタックされる。
【００３３】
それぞれのクリーニングユニット２０３１は、対応する感光体ドラム２０３０の表面に残ったトナー（残留トナー）を除去する。残留トナーが除去された感光体ドラム２０３０の表面は、再度対応する帯電装置２０３２に対向する位置に戻る。
【００３４】
濃度検出器２２４５は、転写ベルト２０４０の−Ｘ側（定着ローラ２０５０よりも転写ベルト２０４０の進行方向における上流側であって、４つの感光体ドラム２０３０よりも下流側の位置）に配置されている。濃度検出器２２４５は、一例として、図２に示されるように、３つの光学センサ２２４５ａ，２２４５ｂ，２２４５ｃを有する。
【００３５】
光学センサ２２４５ａは、転写ベルト２０４０における有効画像領域内の−Ｙ側端部近傍（転写ベルト２０４０の幅方向の一方の端側）に対向する位置に配置される。光学センサ２２４５ｃは、転写ベルト２０４０における有効画像領域内の＋Ｙ側端部近傍（転写ベルト２０４０の幅方向の他方の端側）に対向する位置に配置される。光学センサ２２４５ｂは、主走査方向に関して、光学センサ２２４５ａと光学センサ２２４５ｃのほぼ中央位置（転写ベルト２０４０の幅方向の中央位置）に配置されている。ここでは、主走査方向（Ｙ軸方向）に関して、光学センサ２２４５ａの中心位置をＹ１、光学センサ２２４５ｂの中心位置をＹ２、光学センサ２２４５ｃの中心位置をＹ３とする。
【００３６】
それぞれの光学センサ２２４５ａ，２２４５ｂ，２２４５ｃは、何れも一例として、図３に示されるように、転写ベルト２０４０に向けて光（以下、検出用光ともいう）を射出するＬＥＤ１１、転写ベルト２０４０あるいは転写ベルト２０４０上のトナーパッドからの正反射光を受光する正反射光受光素子１２、転写ベルト２０４０あるいは転写ベルト２０４０上のトナーパッドからの拡散反射光を受光する拡散反射光受光素子１３を有している。それぞれの受光素子は、何れも受光量に応じた信号（光電変換信号）を出力する。
【００３７】
ホームポジションセンサ２２４６ａは、感光体ドラム２０３０ａにおける回転のホームポジションを検出する。ホームポジションセンサ２２４６ｂは、感光体ドラム２０３０ｂにおける回転のホームポジションを検出する。ホームポジションセンサ２２４６ｃは、感光体ドラム２０３０ｃにおける回転のホームポジションを検出する。ホームポジションセンサ２２４６ｄは、感光体ドラム２０３０ｄにおける回転のホームポジションを検出する。
【００３８】
図４は、光走査装置２０１０の光学系の構成を示す図である。図５は、光源２２００ａからポリゴンミラー２１０４までの光路、および、光源２２００ｂからポリゴンミラー２１０４までの光路の一例を示す図である。図６は、光源２２００ｃからポリゴンミラー２１０４までの光路、および、光源２２００ｄからポリゴンミラー２１０４までの光路の一例を示す図である。図７は、ポリゴンミラー２１０４からそれぞれの感光体ドラム２０３０への光路の一例を示す図である。
【００３９】
つぎに、光走査装置２０１０の光学系の構成について説明する。光走査装置２０１０は、光学系として、４つの光源２２００ａ，２２００ｂ，２２００ｃ，２２００ｄと、４つのカップリングレンズ２２０１ａ，２２０１ｂ，２２０１ｃ，２２０１ｄと、４つの開口板２２０２ａ，２２０２ｂ，２２０２ｃ，２２０２ｄと、４つのシリンドリカルレンズ２２０４ａ，２２０４ｂ，２２０４ｃ，２２０４ｄとを有する。さらに、光走査装置２０１０は、光学系として、ポリゴンミラー２１０４と、４つの走査レンズ２１０５ａ，２１０５ｂ，２１０５ｃ，２１０５ｄと、６枚の折り返しミラー２１０６ａ，２１０６ｂ，２１０６ｃ，２１０６ｄ，２１０８ｂ，２１０８ｃとを有する。これらは、光学ハウジングの所定位置に組み付けられている。
【００４０】
なお、光走査装置２０１０は、電気系の回路も有するが、電気系の回路については図８以降において説明する。
【００４１】
それぞれの光源２２００ａ，２２００ｂ，２２００ｃ，２２００ｄは、複数の発光部が２次元配列された面発光レーザアレイを含んでいる。面発光レーザアレイの複数の発光部は、すべての発光部を副走査対応方向に伸びる仮想線上に正射影したときに、発光部間隔が等間隔となるように配置されている。それぞれの光源２２００ａ，２２００ｂ，２２００ｃ，２２００ｄは、一例として、垂直共振器面発光レーザ（ＶＣＳＥＬ）である。
【００４２】
カップリングレンズ２２０１ａは、光源２２００ａから射出された光束の光路上に配置され、通過する光束を略平行光束とする。カップリングレンズ２２０１ｂは、光源２２００ｂから射出された光束の光路上に配置され、通過する光束を略平行光束とする。カップリングレンズ２２０１ｃは、光源２２００ｃから射出された光束の光路上に配置され、通過する光束を略平行光束とする。カップリングレンズ２２０１ｄは、光源２２００ｄから射出された光束の光路上に配置され、通過光束を略平行光束とする。
【００４３】
開口板２２０２ａは、開口部を有し、カップリングレンズ２２０１ａを介した光束を整形する。開口板２２０２ｂは、開口部を有し、カップリングレンズ２２０１ｂを介した光束を整形する。開口板２２０２ｃは、開口部を有し、カップリングレンズ２２０１ｃを介した光束を整形する。開口板２２０２ｄは、開口部を有し、カップリングレンズ２２０１ｄを介した光束を整形する。
【００４４】
シリンドリカルレンズ２２０４ａは、開口板２２０２ａの開口部を通過した光束を、ポリゴンミラー２１０４の偏向反射面近傍にＺ軸方向に関して結像する。シリンドリカルレンズ２２０４ｂは、開口板２２０２ｂの開口部を通過した光束を、ポリゴンミラー２１０４の偏向反射面近傍にＺ軸方向に関して結像する。シリンドリカルレンズ２２０４ｃは、開口板２２０２ｃの開口部を通過した光束を、ポリゴンミラー２１０４の偏向反射面近傍にＺ軸方向に関して結像する。シリンドリカルレンズ２２０４ｄは、開口板２２０２ｄの開口部を通過した光束を、ポリゴンミラー２１０４の偏向反射面近傍にＺ軸方向に関して結像する。
【００４５】
カップリングレンズ２２０１ａと開口板２２０２ａとシリンドリカルレンズ２２０４ａとからなる光学系は、Ｋステーションの偏向器前光学系である。カップリングレンズ２２０１ｂと開口板２２０２ｂとシリンドリカルレンズ２２０４ｂとからなる光学系は、Ｃステーションの偏向器前光学系である。カップリングレンズ２２０１ｃと開口板２２０２ｃとシリンドリカルレンズ２２０４ｃとからなる光学系は、Ｍステーションの偏向器前光学系である。カップリングレンズ２２０１ｄと開口板２２０２ｄとシリンドリカルレンズ２２０４ｄとからなる光学系は、Ｙステーションの偏向器前光学系である。
【００４６】
ポリゴンミラー２１０４は、Ｚ軸に平行な軸まわりに回転する２段構造の４面鏡を有し、それぞれの鏡が偏向反射面となる。そして、１段目（下段）の４面鏡では、シリンドリカルレンズ２２０４ｂからの光束およびシリンドリカルレンズ２２０４ｃからの光束がそれぞれ偏向され、２段目（上段）の４面鏡ではシリンドリカルレンズ２２０４ａからの光束およびシリンドリカルレンズ２２０４ｄからの光束がそれぞれ偏向されるように配置されている。
【００４７】
また、シリンドリカルレンズ２２０４ａおよびシリンドリカルレンズ２２０４ｂからのそれぞれの光束は、ポリゴンミラー２１０４の−Ｘ側に偏向され、シリンドリカルレンズ２２０４ｃおよびシリンドリカルレンズ２２０４ｄからのそれぞれの光束はポリゴンミラー２１０４の＋Ｘ側に偏向される。
【００４８】
それぞれの走査レンズ２１０５ａ，２１０５ｂ，２１０５ｃ，２１０５ｄは、光束を対応する感光体ドラム２０３０近傍に集光する光学的パワー、およびポリゴンミラー２１０４の回転に伴って、対応する感光体ドラム２０３０の面上で光スポットが主走査方向に等速で移動するような光学的パワーを有している。
【００４９】
走査レンズ２１０５ａおよび走査レンズ２１０５ｂは、ポリゴンミラー２１０４の−Ｘ側に配置されている。走査レンズ２１０５ｃおよび走査レンズ２１０５ｄは、ポリゴンミラー２１０４の＋Ｘ側に配置されている。
【００５０】
そして、走査レンズ２１０５ａおよび走査レンズ２１０５ｂは、Ｚ軸方向に積層されている。走査レンズ２１０５ｂは、１段目の４面鏡に対向している。走査レンズ２１０５ａは、２段目の４面鏡に対向している。
【００５１】
また、走査レンズ２１０５ｃおよび走査レンズ２１０５ｄは、Ｚ軸方向に積層されている。走査レンズ２１０５ｃは、１段目の４面鏡に対向している。走査レンズ２１０５ｄは、２段目の４面鏡に対向している。
【００５２】
ポリゴンミラー２１０４で偏向されたシリンドリカルレンズ２２０４ａからの光束は、走査レンズ２１０５ａ、折り返しミラー２１０６ａを介して、感光体ドラム２０３０ａに照射され、光スポットが形成される。この光スポットは、ポリゴンミラー２１０４の回転に伴って感光体ドラム２０３０ａの長手方向に移動する。すなわち、この光スポットは、感光体ドラム２０３０ａ上を走査する。このときの光スポットの移動方向が、感光体ドラム２０３０ａでの「主走査方向」であり、感光体ドラム２０３０ａの回転方向が、感光体ドラム２０３０ａでの「副走査方向」である。
【００５３】
また、ポリゴンミラー２１０４で偏向されたシリンドリカルレンズ２２０４ｂからの光束は、走査レンズ２１０５ｂ、折り返しミラー２１０６ｂおよび折り返しミラー２１０８ｂを介して、感光体ドラム２０３０ｂに照射され、光スポットが形成される。この光スポットは、ポリゴンミラー２１０４の回転に伴って感光体ドラム２０３０ｂの長手方向に移動する。すなわち、この光スポットは、感光体ドラム２０３０ｂ上を走査する。このときの光スポットの移動方向が、感光体ドラム２０３０ｂでの「主走査方向」であり、感光体ドラム２０３０ｂの回転方向が、感光体ドラム２０３０ｂでの「副走査方向」である。
【００５４】
また、ポリゴンミラー２１０４で偏向されたシリンドリカルレンズ２２０４ｃからの光束は、走査レンズ２１０５ｃ、折り返しミラー２１０６ｃおよび折り返しミラー２１０８ｃを介して、感光体ドラム２０３０ｃに照射され、光スポットが形成される。この光スポットは、ポリゴンミラー２１０４の回転に伴って感光体ドラム２０３０ｃの長手方向に移動する。すなわち、この光スポットは、感光体ドラム２０３０ｃ上を走査する。このときの光スポットの移動方向が、感光体ドラム２０３０ｃでの「主走査方向」であり、感光体ドラム２０３０ｃの回転方向が、感光体ドラム２０３０ｃでの「副走査方向」である。
【００５５】
また、ポリゴンミラー２１０４で偏向されたシリンドリカルレンズ２２０４ｄからの光束は、走査レンズ２１０５ｄ、折り返しミラー２１０６ｄを介して、感光体ドラム２０３０ｄに照射され、光スポットが形成される。この光スポットは、ポリゴンミラー２１０４の回転に伴って感光体ドラム２０３０ｄの長手方向に移動する。すなわち、この光スポットは、感光体ドラム２０３０ｄ上を走査する。このときの光スポットの移動方向が、感光体ドラム２０３０ｄでの「主走査方向」であり、感光体ドラム２０３０ｄの回転方向が、感光体ドラム２０３０ｄでの「副走査方向」である。
【００５６】
なお、それぞれの折り返しミラー２１０６ａ，２１０６ｂ，２１０６ｃ，２１０６ｄ，２１０８ｂ，２１０８ｃは、ポリゴンミラー２１０４から対応する感光体ドラム２０３０に至る光路長が互いに一致するとともに、対応する感光体ドラム２０３０における光束の入射位置および入射角が何れも互いに等しくなるように、それぞれ配置されている。
【００５７】
ポリゴンミラー２１０４とそれぞれの感光体ドラム２０３０との間の光路上に配置される光学系は、走査光学系とも呼ばれている。ここでは、走査レンズ２１０５ａと折り返しミラー２１０６ａとからＫステーションの走査光学系が構成されている。また、走査レンズ２１０５ｂと２枚の折り返しミラー２１０６ｂ，２１０８ｂとからＣステーションの走査光学系が構成されている。そして、走査レンズ２１０５ｃと２枚の折り返しミラー２１０６ｃ，２１０８ｃとからＭステーションの走査光学系が構成されている。さらに、走査レンズ２１０５ｄと折り返しミラー２１０６ｄとからＹステーションの走査光学系が構成されている。なお、それぞれの走査光学系において、走査レンズ２１０５が複数のレンズから構成されていてもよい。
【００５８】
図８は、光走査装置２０１０の電気系の構成を示す図である。光走査装置２０１０は、電気系の構成として、インターフェイスユニット３１０１と、画像処理ユニット３１０２と、駆動制御ユニット３１０３とを備える。
【００５９】
インターフェイスユニット３１０１は、上位装置（例えばコンピュータ）から転送された画像データをプリンタ制御装置２０９０から取得する。そして、インターフェイスユニット３１０１は、取得した画像データを、後段の画像処理ユニット３１０２に渡す。
【００６０】
本例においては、インターフェイスユニット３１０１は、ＲＧＢ形式、解像度が１２００ｄｐｉ、ビット数が８ビットの画像データを取得して、画像処理ユニット３１０２に渡す。
【００６１】
画像処理ユニット３１０２は、画像処理部として機能する。画像処理ユニット３１０２は、インターフェイスユニット３１０１から画像データを取得して、印刷方式に対応したカラーの画像データに変換する。一例として、画像処理ユニット３１０２は、ＲＧＢ形式の画像データを、タンデム形式（ＣＭＹＫ形式）の画像データに変換する。また、画像処理ユニット３１０２は、データ形式の変換に加えて、各種の画像処理も実行する。
【００６２】
本例においては、画像処理ユニット３１０２は、ＣＭＹＫ形式、解像度が２４００ｄｐｉ、ビット数が１ビットの画像データを出力する。なお、画像処理ユニット３１０２から出力される画像データの解像度は、２４００ｄｐｉに限られない。また、画像処理ユニット３１０２から出力される画像データの解像度を、第１解像度という。
【００６３】
さらに、画像処理ユニット３１０２は、第１解像度（２４００ｄｐｉ）の画像データのそれぞれの画素が、文字または線を構成する画素であるか否かを示すタグ情報を生成する。そして、画像処理ユニット３１０２は、生成した第１解像度の画像データおよびタグ情報を駆動制御ユニット３１０３へと渡す。
【００６４】
駆動制御ユニット３１０３は、画像処理ユニット３１０２から第１解像度の画像データおよびタグ情報を取得して、光源駆動に対応した第２解像度のカラーの画像データに変換する。なお、第２解像度は、第１解像度より高い。本例においては、駆動制御ユニット３１０３は、ＣＭＹＫ形式、解像度が４８００ｄｐｉ、ビット数が１ビットの画像データに変換する。
【００６５】
駆動制御ユニット３１０３は、第２解像度の画像データを画素の発光タイミングを示すクロック信号に変調して、色毎の独立した変調信号を生成する。そして、駆動制御ユニット３１０３は、光源２２００ａ，２２００ｂ，２２００ｃ，２２００ｄを、それぞれの色に対応した変調信号に応じて駆動して発光させる。なお、駆動制御ユニット３１０３は、解像度変換処理と変調処理とを一体的に行ってもよい。
【００６６】
また、駆動制御ユニット３１０３は、一例として、光源２２００ａ，２２００ｂ，２２００ｃ，２２００ｄの近傍に設けられたワンチップ化された単一の集積デバイスである。画像処理ユニット３１０２およびインターフェイスユニット３１０１は、駆動制御ユニット３１０３と比較して、光源２２００ａ，２２００ｂ，２２００ｃ，２２００ｄよりも遠くに配置される。そして、画像処理ユニット３１０２と駆動制御ユニット３１０３との間は、ケーブル３１０４により接続される。
【００６７】
このような構成の光走査装置２０１０は、画像データに応じた光を光源２２００ａ，２２００ｂ，２２００ｃ，２２００ｄから発光させて潜像を形成することができる。
【００６８】
図９は、インターフェイスユニット３１０１の構成を示す図である。インターフェイスユニット３１０１は、一例として、フラッシュメモリ３２１１と、ＲＡＭ３２１２と、ＩＦ回路３２１３と、ＣＰＵ３２１４とを有する。フラッシュメモリ３２１１、ＲＡＭ３２１２、ＩＦ回路３２１３およびＣＰＵ３２１４は、それぞれバスで接続される。
【００６９】
フラッシュメモリ３２１１は、ＣＰＵ３２１４で実行されるプログラム、および、ＣＰＵ３２１４でのプログラムの実行に必要な各種データを格納する。ＲＡＭ３２１２は、ＣＰＵ３２１４がプログラムを実行する場合の作業用の記憶領域である。ＩＦ回路３２１３は、プリンタ制御装置２０９０と双方向の通信をする。
【００７０】
ＣＰＵ３２１４は、フラッシュメモリ３２１１に格納されたプログラムに従って動作して、光走査装置２０１０の全体を制御する。そして、このような構成のインターフェイスユニット３１０１は、プリンタ制御装置２０９０から送信された入力画像データ（ＲＧＢ形式、１２００ｄｐｉ、８ビット）を、画像処理ユニット３１０２へと渡す。
【００７１】
図１０は、画像処理ユニット３１０２の構成を示す図である。画像処理ユニット３１０２は、属性分離部３２２０と、色変換部３２２１と、墨生成部３２２２と、ガンマ補正部３２２３と、位置補正部３２２４と、階調処理部３２２５と、タグ生成部３２２６とを有する。
【００７２】
属性分離部３２２０は、インターフェイスユニット３１０１から、入力画像データ（ＲＧＢ形式、１２００ｄｐｉ、８ビット）を受け取る。ここで、入力画像データのそれぞれの画素には、属性情報が付加されている。属性情報は、その領域（画素）のソースとなるオブジェクトの種類を示す。例えば、画素が文字の一部であれば、属性情報には、「文字」を示す属性が示される。例えば、画素が線の一部であれば、属性情報には、「線」を示す属性が示される。また、画素が図形の一部であれば、属性情報には、「図形」を示す属性が示される。また、画素が写真の一部であれば、属性情報には、「写真」を示す属性が示される。
【００７３】
属性分離部３２２０は、入力画像データから属性情報および画像データを分離する。属性分離部３２２０は、分離した属性情報および画像データをタグ生成部３２２６に渡す。また、属性分離部３２２０は、画像データを色変換部３２２１に渡す。属性分離部３２２０から出力される画像データは、一例として、ＲＧＢ、１２００ｄｐｉ／８ビットである。また、属性分離部３２２０から出力される属性データは、一例として、画像データと同一の解像度（１２００ｄｐｉ）で、ビット数が２ビットのデータである。
【００７４】
色変換部３２２１は、８ビットのＲＧＢ形式の画像データを、８ビットのＣＭＹ形式の画像データに変換する。墨生成部３２２２は、色変換部３２２１により生成されたＣＭＹ形式の画像データから、黒成分を生成してＣＭＹＫ形式の画像データを生成する。ガンマ補正部３２２３は、墨生成部３２２２により生成されたＣＭＹＫ形式の画像データを、テーブル等を用いて各色のレベルを線形変換する。
【００７５】
位置補正部３２２４は、ガンマ補正部３２２３から画像データを受け取り、ノイズまたは歪みを除去する。さらに、位置補正部３２２４は、変倍またはシフト等をして、画像の位置補正を行う。また、この際、位置補正部３２２４は、１２００ｄｐｉの解像度を、２４００ｄｐｉに変換する。そして、位置補正部３２２４は、１画素が複数ビット（本例においては８ビット）で表された２４００ｄｐｉ（第１解像度）のＣＭＹＫ形式の画像データを出力する。
【００７６】
階調処理部３２２５は、位置補正部３２２４から、２４００ｄｐｉ、８ビットのＣＭＹＫ形式の画像データを受け取る。階調処理部３２２５は、例えば、ディザ処理または誤差拡散処理等により疑似中間調処理をすることにより、８ビットの画像データから、１ビットの面積階調データを生成する。
【００７７】
タグ生成部３２２６は、１２００ｄｐｉの画像データのそれぞれの画素が、文字または線を構成する画素であるか否かを示すタグ情報を生成する。タグ生成部３２２６は、一例として、属性情報に基づき、タグ情報を生成する。
【００７８】
本例においては、タグ生成部３２２６は、文字または線を示す属性情報が付加されていた黒画素に、文字または線を示すタグ情報を割り当てる。なお、ここで、黒画素とは、階調数を１ビットに低減した場合に画素値が１となる画素であり、光源２２００から感光体ドラム２０３０へと光が出射される画素である。また、白画素とは、階調数を１ビットに低減した場合に画素値が０となる画素であり、光源２２００から感光体ドラム２０３０へと光が出射されない画素である。
【００７９】
タグ生成部３２２６により生成されたタグ情報は、位置補正部３２２４および階調処理部３２２５を介して、駆動制御ユニット３１０３へと渡される。ここで、位置補正部３２２４は、画像データを１２００ｄｐｉから２４００ｄｐｉに高解像度化する処理および画像データの位置補正をする処理と同一の処理を、タグ情報に施す。これにより、位置補正部３２２４は、タグ情報も１２００ｄｐｉから２４００ｄｐｉに高解像度化し、高解像度化した後のそれぞれの画素にタグ情報を割り当てることができる。
【００８０】
そして、階調処理部３２２５は、第１解像度（２４００ｄｐｉ）の１ビットの画像データ、および、第１解像度（２４００ｄｐｉ）の１ビットのタグ情報のそれぞれを、駆動制御ユニット３１０３へと送信する。本実施形態においては、階調処理部３２２５は、画像データおよびタグ情報を１つのパスで伝送する。より具体的には、階調処理部３２２５は、上位ビットが画像データ（ＣＭＹＫ）、下位ビットがタグ情報を表す、第１解像度（２４００ｄｐｉ）の２ビットのデータを駆動制御ユニット３１０３へと送信する。
【００８１】
このように、画像処理ユニット３１０２は、第１解像度（２４００ｄｐｉ）の画像データの画素のそれぞれに対応付けられたタグ情報を生成して、駆動制御ユニット３１０３へと送信することができる。また、画像処理ユニット３１０２は、一部または全部がハードウェアにより実現されていてもよいし、ＣＰＵがソフトウェアプログラムを実行することにより実現されてもよい。
【００８２】
図１１は、駆動制御ユニット３１０３の構成を示す図である。駆動制御ユニット３１０３は、クロック生成部３２３２と、変調信号生成部３２３３と、光源駆動部３２３４とを有する。
【００８３】
クロック生成部３２３２は、画素の発光タイミングを示すクロック信号を発生する。クロック信号は、４８００ｄｐｉに対応する分解能で画像データが変調可能な信号である。
【００８４】
変調信号生成部３２３３は、画像処理ユニット３１０２から、第１解像度の画像データを取得する。そして、変調信号生成部３２３３は、第１解像度の画像データおよびタグ情報に基づき、第１解像度よりも高い第２解像度の画像データを生成する。本例においては、変調信号生成部３２３３は、ＣＭＹＫ形式、２４００ｄｐｉ、１ビットの画像データおよびタグ情報に基づき、ＣＭＹＫ形式、４８００ｄｐｉ、１ビット相当の画像データを生成する。そして、変調信号生成部３２３３は、このような第２解像度の画像データをクロック信号に変調して、４８００ｄｐｉの画像を形成するための変調信号を生成する。
【００８５】
光源駆動部３２３４は、第２解像度の画像データに応じた変調信号を受け取る。光源駆動部３２３４は、変調信号生成部３２３３から出力された色毎に独立した変調信号のそれぞれに応じて、対応する光源２２００ａ，２２００ｂ，２２００ｃ，２２００ｄを駆動する。これにより光源駆動部３２３４は、それぞれの光源２２００ａ，２２００ｂ，２２００ｃ，２２００ｄを変調信号に応じた光量で発光させることができる。
【００８６】
図１２は、変調信号生成部３２３３の構成を示す図である。変調信号生成部３２３３は、バッファメモリ３２５１と、解像度変換部３２５２と、ガンマ変換部３２５３とを含む。
【００８７】
バッファメモリ３２５１は、画像処理ユニット３１０２から送られてくる、第１解像度（２４００ｄｐｉ）の２ビットのデータ（上位ビットが画像データ（ＣＭＹＫ））、下位ビットがタグ情報）を蓄積する。バッファメモリ３２５１は、後段の解像度変換部３２５２からの読み出しに応じて、蓄積した画像データおよびタグ情報を解像度変換部３２５２に渡す。
【００８８】
解像度変換部３２５２は、バッファメモリ３２５１に蓄積された第１解像度の画像データおよびタグ情報を、第１解像度より高い第２解像度（４８００ｄｐｉ／１ビット相当）の画像データおよびタグ情報に変換する。本実施形態においては、解像度変換部３２５２は、主走査方向が２４００ｄｐｉ／４ビット（上位ビットが画像データ（ＣＭＹＫ）、下位ビットがタグ情報）、副走査方向が４８００ｄｐｉ／１ビットのデータに変換する。
【００８９】
解像度変換部３２５２は、第１解像度の画像データの中から対象画素を順次に選択し、対象画素毎に、解像度変換処理を実行する。解像度変換部３２５２は、変換後の第２解像度の画像データをガンマ変換部３２５３に渡す。
【００９０】
ガンマ変換部３２５３は、解像度変換部３２５２から第２解像度の画像データを受け取り、受け取った画像データをクロック信号に変調するとともに、光源２２００の特性に応じたレベルにレベル変換することにより、変調信号を生成する。ガンマ変換部３２５３は、生成した変調信号を光源駆動部３２３４に送る。
【００９１】
図１３は、解像度変換部３２５２による解像度変換前の第１解像度（２４００ｄｐｉ）の画像データおよびタグ情報のビットの配置と、解像度変換後の第２解像度（４８００ｄｐｉ）の画像データおよびタグ情報のビットの配置を示す図である。
【００９２】
本実施形態において、第１解像度のデータは、主走査方向が２４００ｄｐｉ／２ビットで表され、副走査方向が２４００ｄｉｐ／１ビットで表される。さらに、主走査方向の２ビットのデータは、上位ビット（ｂｉｔ１）が画像データ（ＣＭＹＫ）を表し、下位ビット（ｂｉｔ０）がタグ情報を表す。
【００９３】
また、本実施形態において、第２解像度のデータは、主走査方向が２４００ｄｐｉ／４ビットで表され、副走査方向が４８００ｄｉｐ／１ビットで表される。さらに、主走査方向の４ビットのデータは、上位ビット（ｂｉｔ３，ｂｉｔ２）が画像データ（ＣＭＹＫ）を表し、下位ビット（ｂｉｔ１，ｂｉｔ０）がタグ情報を表す。なお、第２解像度のデータは、主走査方向が２４００ｄｐｉである。しかし、第２解像度のデータは、第１解像度のデータから、主走査方向のビット数が２倍となっているので、４８００ｄｐｉ／２ビットに相当する。
【００９４】
図１４は、解像度変換部３２５２の構成を示す図である。本実施形態においては、解像度変換部３２５２は、第１解像度（２４００ｄｐｉ）の画像データの中から対象画素を１画素ずつ順次に選択し、対象画素毎に、図１３に示したような変換処理を実行する。
【００９５】
解像度変換部３２５２は、イメージマトリクス取得部３２６１と、パターンマッチング部３２６２と、第１変換部３２６３と、第２変換部３２６４と、セレクタ３２６５とを含む。
【００９６】
イメージマトリクス取得部３２６１は、バッファメモリ３２５１から、イメージマトリクスを検出する。イメージマトリクスは、対象画素および対象画素の周囲の画素を含む領域における、第１解像度の画像データおよびタグ情報である。例えば、イメージマトリクスは、対象画素を中心とした矩形の領域における、第１解像度の画像データおよびタグ情報である。本実施形態においては、イメージマトリクスは、対象画素を中心とした、９×９の画素領域における、第１解像度の画像データおよびタグ情報である。
【００９７】
パターンマッチング部３２６２は、イメージマトリクス内における画像データおよびタグ情報の配置に基づき、対象画素が文字または線のエッジを構成する画素であるか否かを判断する。エッジを構成する画素とは、黒画素と白画素との境界の近傍の画素をいう。例えば、エッジを構成する画素は、黒画素と白画素の境界から、一定の範囲内の画素をいう。
【００９８】
パターンマッチング部３２６２は、一例として、イメージマトリクス内における画像データおよびタグ情報の配置が、予め登録されている複数のパターンの何れかに一致していれば、対象画素が文字または線のエッジを構成する画素であると判断する。パターンマッチング部３２６２は、一致していなければ、対象画素が文字または線のエッジを構成する画素ではないと判断する。
【００９９】
パターンマッチング部３２６２は、対象画素が文字または線のエッジを構成する画素であると判断した場合には、イメージマトリクス内における画像データおよびタグ情報の配置を識別するマッチング信号を第１変換部３２６３に渡す。パターンマッチング部３２６２は、対象画素が文字または線のエッジを構成する画素ではないと判断した場合には、第１変換部３２６３にマッチング信号を渡さない。
【０１００】
第１変換部３２６３は、対象画素が文字または線のエッジを構成する画素である場合、対象画素の画像データおよびタグ情報を、イメージマトリクス内の配置に対応して定められたパターンの第２解像度の画像データおよびタグ情報に変換する。本実施形態においては、第１変換部３２６３は、第２解像度の画像データおよびタグ情報として、主走査方向が２４００ｄｐｉ／４ビット、副走査方向が４８００ｄｉｐ／１ビットのデータを出力する。
【０１０１】
第１変換部３２６３は、一例として、対象画素を、文字または線を細線化する画像処理を行ったパターンの第２解像度の画像データおよびタグ情報に変換する。また、第１変換部３２６３は、一例として、対象画素を、白抜きの文字または線を太線化する画像処理を行ったパターンの第２解像度の画像データおよびタグ情報に変換する。そして、第１変換部３２６３は、変換を行った場合、画像処理を行ったパターン（画像処理パターン）およびイネーブル信号をセレクタ３２６５に送る。
【０１０２】
第２変換部３２６４は、対象画素が文字又は線のエッジを構成する画素ではない場合、対象画素の値に応じたパターンの第２解像度の画像データおよびタグ情報に変換する。具体的には、第２変換部３２６４は、対象画素を、画像処理を行っていないパターン（通常パターン）の第２解像度の画像データおよびタグ情報に変換する。本実施形態においては、第２変換部３２６４は、第２解像度の画像データおよびタグ情報として、主走査方向が２４００ｄｐｉ／４ビット、副走査方向が４８００ｄｉｐ／１ビットのデータを出力する。そして、第２変換部３２６４は、通常パターンをセレクタ３２６５に送る。
【０１０３】
セレクタ３２６５は、第１変換部３２６３から画像処理パターンおよびイネーブル信号を受け取る。また、セレクタ３２６５は、第２変換部３２６４から通常パターンを受け取る。セレクタ３２６５は、イネーブル信号を受け取った場合（すなわち、対象画素が文字または線のエッジを構成する画素である場合）、画像処理パターンを出力する。また、セレクタ３２６５は、イネーブル信号を受け取らなかった場合（すなわち、対象画素が文字または線のエッジを構成する画素ではない場合）、通常パターンを出力する。
【０１０４】
このような構成の解像度変換部３２５２は、第１解像度の画像データを第２解像度の画像データに変換できるとともに、文字または線のエッジに対して画像処理を施すことができる。例えば、解像度変換部３２５２は、文字または線を細線化したり、または、白抜きの文字または線を太線化したりすることができる。
【０１０５】
＜各部の処理内容の具体例＞
以下、各部の処理内容を具体的な画像データ等を参照して具体的に説明する。
【０１０６】
図１５は、第１解像度（２４００ｄｐｉ）の対象画素と、通常パターンへの変換後の第２解像度（４８００ｄｐｉ）の画像データおよびタグ情報を示す図である。第２変換部３２６４は、対象画素を、対象画素の値に応じたパターンの第２解像度の画像データおよびタグ情報に変換する。
【０１０７】
例えば、第２変換部３２６４は、図１５のＡに示すように、対象画素の画像データが０、タグ情報が０である場合には、主走査方向の画像データの部分（上位２ビット）を０、タグ情報の部分（下位２ビット）を０としたデータを出力する。第２変換部３２６４は、図１５のＢに示すように、対象画素の画像データが１、タグ情報が０である場合には、主走査方向の画像データの部分（上位２ビット）を１、タグ情報の部分（下位２ビット）を０としたデータを出力する。第２変換部３２６４は、図１５のＣに示すように、対象画素の画像データが０、タグ情報が１である場合には、主走査方向の画像データの部分（上位２ビット）を０、タグ情報の部分（下位２ビット）を１としたデータを出力する。第２変換部３２６４は、図１５のＤに示すように、対象画素の画像データが１、タグ情報が１である場合には、主走査方向の画像データの部分（上位２ビット）を１、タグ情報の部分（下位２ビット）を１としたデータを出力する。
【０１０８】
図１６は、２４００ｄｐｉの黒画素の線画の一例を示す図である。入力画像データには、それぞれの画素に、属性情報（画素のソースとなるオブジェクトの種類）が付加されている。例えば、図１６の例では、黒画素に、ソースとなるオブジェクトが線画（文字または線のことを線画ともいう）を示す属性情報が付加されている。そして、本例においては、タグ生成部３２２６は、黒画素であり、かつ、属性情報が線画を示す画素である場合、その画素に線画を示すタグ情報を割り当てる。
【０１０９】
なお、タグ生成部３２２６は、入力画像データが１２００ｄｐｉの解像度であるので、１２００ｄｐｉの解像度のタグ情報を生成する。そして、位置補正部３２２４は、１２００ｄｐｉの解像度の入力画像データを、位置補正するとともに、２４００ｄｐｉ（第１解像度）に高解像度化する。この場合において、位置補正部３２２４は、タグ情報も、入力画像データと同期させて位置補正するとともに、２４００ｄｐｉ（第１解像度）に高解像度化する。
【０１１０】
図１７は、イメージマトリクスの一例を示す図である。本実施形態において、イメージマトリクス取得部３２６１は、図１７に示すように、対象画素を中心とした、９×９画素（主走査方向×副走査方向）の領域から構成されるイメージマトリクスを取得する。
【０１１１】
図１８、図１９および図２０は、対象画素が線画のエッジを構成する画素であるかを判断するためのイメージマトリクスの配置の例を示す図である。パターンマッチング部３２６２は、取得したイメージマトリクスの画像データおよびタグ情報の配置が、図１８のＡからＬまでの配置、図１９のＭからＸまでの配置、または、図２０のＹからＡＪまでの配置の何れかに一致する場合、対象画素が線画のエッジであると判断する。
【０１１２】
なお、図１８、図１９および図２０では、黒色部分は、線画を示すタグ情報が割り当てられた黒画素を示し、ハッチング部分は、線画ではないことを示すタグ情報が割り当てられた白画素を示し、空白部分は、不問の画素（どのような画像データおよびタグ情報であってもよい画素）を示す。
【０１１３】
また、図１８〜図２０の例での線画のエッジとは、黒画素と白画素の境界から、一定の範囲内の黒領域における画素である。本例においては、黒画素と白画素の境界から２画素分の範囲内の黒画素をいう。
【０１１４】
図１８のＡ、Ｂ、Ｃ、Ｄは、対象画素（数値１または２が付いた画素）が、２画素分の幅の線または文字のエッジとなる配置を表す。図１８のＥ、Ｆ、Ｇ、Ｈは、対象画素（数値３または４が付いた画素）が、４画素分の幅の線または文字における、白画素に隣接する位置のエッジとなる配置を表す。図１８のＩ、Ｊ、Ｋ、Ｌは、対象画素（数値５が付いた画素）が、４画素分の幅の線または文字における、白画素から１画素分離れた位置のエッジとなる配置を表す。
【０１１５】
図１９のＭ、Ｎ、Ｏ、Ｐ、Ｑ、Ｒ、Ｓ、Ｔは、対象画素（数値６または７が付いた画素）が、線または文字におけるコーナーの白画素に隣接する位置のエッジとなる配置を表す。図１９のＵ、Ｖ、Ｗ、Ｘは、対象画素（数値８が付いた画素）が、４画素以上の幅を有する線または文字における、白画素に隣接する位置のエッジとなる配置を表す。
【０１１６】
図２０のＹ、Ｚ、ＡＡ、ＡＢ、ＡＣ、ＡＤ、ＡＥ、ＡＦは、対象画素（数値９または１０が付いた画素）が、線または文字におけるコーナーの、白画素から１画素分離れた位置のエッジとなる配置を表す。図２０のＡＧ、ＡＨ、ＡＩ、ＡＪは、対象画素（数値１１が付いた画素）が、４画素以上の幅を有する線または文字における、白画素から１画素分離れた位置のエッジとなる配置を表す。
【０１１７】
図２１は、第２解像度に変換後のパターンの一例を示す図である。第１変換部３２６３は、取得したイメージマトリクスが図１８から図２０に示された何れかの配置に一致した場合、中央の対象画素を、図２１に示すａ〜ｎの何れかの第２解像度のパターンに変換する。
【０１１８】
パターンａは、２×２の画素を全てオフ（非発光）とするパターンである。
【０１１９】
また、パターンｂは、２×２の画素の左上の１つの画素をオン（発光）とするパターンである。パターンｃは、２×２の画素の右上の１つの画素をオンとするパターンである。パターンｄは、２×２の画素の右下の１つの画素をオンとするパターンである。パターンｅは、２×２の画素の左下の１つの画素をオンとするパターンである。
【０１２０】
パターンｆは、２×２の画素の左上および左下の２つの画素をオンとするパターンである。パターンｇは、２×２の画素の左上および右上の２つの画素をオンとするパターンである。パターンｈは、２×２の画素の右上および右下の２つの画素をオンとするパターンである。パターンｉは、２×２の画素の左下および右下の２つの画素をオンとするパターンである。
【０１２１】
パターンｊは、２×２の画素の左上、左下および右下の３つの画素をオンとするパターンである。パターンｋは、２×２の画素の左下、右上および右下の３つの画素をオンとするパターンである。パターンｌは、２×２の画素の左上、左下および右上の３つの画素をオンとするパターンである。パターンｍは、２×２の画素の左上、右上および右下の３つの画素をオンとするパターンである。
【０１２２】
パターンｎは、２×２の画素の全てをオンとするパターンである。
【０１２３】
図２２は、図１９のＵおよび図２０のＡＧのイメージマトリクスに含まれる対象画素を高解像度化する場合の第１の変換例を示す図である。第１変換部３２６３には、図１８、図１９および図２０のそれぞれのイメージマトリクスの配置毎に、対象画素を図２１の何れのパターンに変換するかが予め登録されている。例えば、第１変換部３２６３には、線画を内側に狭めるようなパターンが登録されている。これにより、第１変換部３２６３は、線画における黒領域を細くして、線画を細線化することができる。
【０１２４】
例えば、図２２に示されるように、第１変換部３２６３は、イメージマトリクスの配置が図１９のＵの場合には、対象画素（数値８の位置の画素）を図２１のパターンｈに置き換え、イメージマトリクスの配置が図２０のＡＧの場合には、対象画素（数値１１の位置の画素）を図２１のパターンｎに置き換える。これにより、第１変換部３２６３は、左側のエッジの黒画素を第２解像度（４８００ｄｐｉ）で１画素分だけ少なくして、黒領域を細くすることができる。
【０１２５】
図２３は、２４００ｄｐｉの黒画素の線画と、４８００ｄｐｉに高解像度化した後の黒画素の線画の一例を示す図である。このような解像度変換部３２５２によれば、例えば、図２３のＡに示すような、２４００ｄｐｉの黒画素の線または文字の一部分の画像データを、図２３のＢに示すように、４８００ｄｐｉの解像度の画像データに変換することができる。さらに、解像度変換部３２５２によれば、図２３のＢに示すように、黒色の線または文字の一部分を細線化することができる。
【０１２６】
図２４は、図１９のＵおよび図２０のＡＧのイメージマトリクスに含まれる対象画素を高解像度化する場合の第２の変換例を示す図である。図２５は、図１９のＵおよび図２０のＡＧのイメージマトリクスに含まれる対象画素を高解像度化する場合の第３の変換例を示す図である。
【０１２７】
第１変換部３２６３は、イメージマトリクスの配置と図２１の各パターンとの対応付けを変更することにより、より黒領域を細くすることもできる。
【０１２８】
例えば、図２４に示されるように、第１変換部３２６３は、イメージマトリクスの配置が図１９のＵの場合には、対象画素（数値８の位置の画素）を図２１のパターンａに置き換え、イメージマトリクスの配置が図２０のＡＧの場合には、対象画素（数値１１の位置の画素）を図２１のパターンｎに置き換える。これにより、第１変換部３２６３は、左側のエッジの黒画素を第２解像度（４８００ｄｐｉ）で２画素分少なくして、黒領域を細くすることができる。
【０１２９】
また、例えば、図２５に示されるように、第１変換部３２６３は、イメージマトリクスの配置が図１９のＵの場合には、対象画素（数値８の位置の画素）を図２１のパターンａに置き換え、イメージマトリクスの配置が図２０のＡＧの場合には、対象画素（数値１１の位置の画素）を図２１のパターンｈに置き換える。これにより、第１変換部３２６３は、左側のエッジの黒画素を第２解像度（４８００ｄｐｉ）で３画素分少なくして、黒領域を細くすることができる。
【０１３０】
図２６は、２４００ｄｐｉの白抜きの線画の一例を示す図である。例えば、図２６の例では、白画素に、ソースとなるオブジェクトが線画を示す属性情報が付加されている。この例では、タグ生成部３２２６は、白画素であり、かつ、属性情報が線画を示す画素である場合、その画素に線画を示すタグ情報を割り当てる。これにより、タグ生成部３２２６は、白抜きの線画に、文字または線を示すタグ情報を割り当てることができる。
【０１３１】
図２７および図２８は、対象画素が、白抜きの線画のエッジを構成する画素であるかを判断するためのイメージマトリクスの配置の例を示す図である。パターンマッチング部３２６２は、取得したイメージマトリクスの画像データおよびタグ情報の配置が、図２７のＢＡからＢＬまでの配置、または、図２８のＢＭからＢＸまでの配置の何れかに一致する場合、対象画素が線画のエッジであると判断する。
【０１３２】
なお、図２７および図２８では、黒色部分は、線画を示さないタグ情報が割り当てられた黒画素を示し、ハッチング部分は、線画を示すタグ情報が割り当てられた白画素を示し、空白部分は、不問の画素（どのような画像データおよびタグ情報であってもよい画素）を示す。
【０１３３】
また、白抜きの線画のエッジとは、黒画素と白画素の境界から、一定の範囲内の黒領域の画素である。本例においては、黒画素と白画素の境界から２画素分の範囲内の黒画素をいう。
【０１３４】
図２７のＢＡ、ＢＢ、ＢＣ、ＢＤ、ＢＥ、ＢＦ、ＢＧ、ＢＨは、対象画素（数値１２または１３が付いた画素）が、白抜きの線または文字におけるコーナーの白画素に隣接する位置のエッジとなる配置を表す。図２７のＢＩ、ＢＪ、ＢＫ、ＢＬは、対象画素（数値１４が付いた画素）が、白抜きの線または文字における、白画素に隣接する位置のエッジとなる配置を表す。
【０１３５】
図２８のＢＭ、ＢＮ、ＢＯ、ＢＰ、ＢＱ、ＢＲ、ＢＳ、ＢＴは、対象画素（数値１５または１６が付いた画素）が、白抜きの線または文字におけるコーナーの、白画素から１画素分離れた位置のエッジとなる配置を表す。図２８のＢＵ、ＢＶ、ＢＷ、ＢＸは、対象画素（数値１７が付いた画素）が、白抜きの線または文字における、白画素から１画素分離れた位置のエッジとなる配置を表す。
【０１３６】
図２９は、図２７のＢＩおよび図２８のＢＵのイメージマトリクスに含まれる対象画素を高解像度化する場合の変換例を示す図である。第１変換部３２６３には、図２７および図２８のそれぞれのイメージマトリクスの配置毎に、対象画素を図２１の何れのパターンに変換するかが予め登録されている。例えば、第１変換部３２６３には、白抜きの線画を外側に広げるようなパターンが登録されている。これにより、第１変換部３２６３は、白抜き線画における白領域を太くして、線画を太線化することができる。
【０１３７】
例えば、図２９に示されるように、第１変換部３２６３は、イメージマトリクスの配置が図２７のＢＩの場合には、対象画素（数値１４の位置の画素）を図２１のパターンｆに置き換え、イメージマトリクスの配置が図２８のＢＵの場合には、対象画素（数値１７の位置の画素）を図２１のパターンｎに置き換える。これにより、第１変換部３２６３は、右側のエッジの黒画素を第２解像度（４８００ｄｐｉ）で１画素分だけ少なくして、白抜きの領域を太くすることができる。
【０１３８】
図３０は、２４００ｄｐｉの白抜きの線画と、４８００ｄｐｉに高解像度化した後の白抜きの線画の一例を示す図である。このような解像度変換部３２５２によれば、例えば、図３０のＡに示すような、２４００ｄｐｉの白抜きの線または文字の一部分の画像データを、図３０のＢに示すように、４８００ｄｐｉの解像度の画像データに変換することができる。さらに、解像度変換部３２５２によれば、図３０のＢに示すように、白抜きの線または文字の一部分を太線化することができる。
【０１３９】
図３１は、変形例に係る変調信号生成部３２３３の構成を示す図である。変形例に係る変調信号生成部３２３３は、図１２に示した部材と略同一の機能および構成を有する部材に同一の符号を付けて、相違点を除き説明を省略する。
【０１４０】
変形例に係る変調信号生成部３２３３は、パワー制御部３２７１をさらに有する。
【０１４１】
変形例に係る解像度変換部３２５２内の第１変換部３２６３は、出力する第２解像度の画像データのパターンに対応させて、光源２２００のパワー変更を指示するパワー変更信号を出力する。パワー変更信号は、第２解像度に相当するビットでパワー変更の有無を示す。例えば、パワー変更信号は、４８００ｄｐｉに相当する解像度でパワー変更の有無を表す。第１変換部３２６３は、一例として、予め定められた幅以下の線または文字を形成する場合には、光源２２００のパワーを基準値（第１のパワー）よりも大きいパワー（第２のパワー）とし、これ以外の場合には、光源２２００のパワーを基準値（第１のパワー）とさせるようなパワー変更信号を発生する。
【０１４２】
パワー制御部３２７１は、パワー変更信号が出力された画素に対して、光源２２００から出力される光のパワーを変更する。より具体的には、パワー制御部３２７１は、パワー変更信号が出力されていない画素について、第１のパワーで光源２２００を発光させ、パワー変更信号が出力された画素について第１のパワーより高い第２のパワーで光源２２００を発光させる。パワー制御部３２７１は、受け取ったパワー変更信号をクロック信号に変調して、パワー変調信号を生成する。そして、パワー制御部３２７１は、パワー変調信号を光源駆動部３２３４に送る。
【０１４３】
光源駆動部３２３４は、パワー変調信号に応じて、画素単位の露光パワーを制御する。光源駆動部３２３４は、パワーの変更が指示されていない画素については、通常の基準値のパワー（第１のパワー、１００％）で露光して画素を形成する。光源駆動部３２３４は、パワーの変更が指示された画素については、通常の基準値より高いパワー（第２のパワー、２００％）で露光して画素を形成する。
【０１４４】
図３２は、パワー変更パターンの一例を示す図である。第１変換部３２６３は、取得したイメージマトリクスが図１８から図２０に示された何れかの配置に一致した場合、中央の対象画素のタイミングで、図３２に示す＃１〜＃１４の何れかの第２解像度のパターンのパワー変更信号を出力する。
【０１４５】
パワー変更パターン＃１は、２×２の画素を全てオフ（通常パワーでの露光）とするパターンである。
【０１４６】
また、パワー変更パターン＃２は、２×２の画素の左上の１つの画素をオン（通常より強いパワーでの露光）とするパターンである。パワー変更パターン＃３は、２×２の画素の右上の１つの画素をオンとするパターンである。パワー変更パターン＃４は、２×２の画素の右下の１つの画素をオンとするパターンである。パワー変更パターン＃５は、２×２の画素の左下の１つの画素をオンとするパターンである。
【０１４７】
パワー変更パターン＃６は、２×２の画素の左上および左下の２つの画素をオンとするパターンである。パワー変更パターン＃７は、２×２の画素の左上および右上の２つの画素をオンとするパターンである。パワー変更パターン＃８は、２×２の画素の右上および右下の２つの画素をオンとするパターンである。パワー変更パターン＃９は、２×２の画素の左下および右下の２つの画素をオンとするパターンである。
【０１４８】
パワー変更パターン＃１０は、２×２の画素の左上、左下および右下の３つの画素をオンとするパターンである。パワー変更パターン＃１１は、２×２の画素の左下、右上および右下の３つの画素をオンとするパターンである。パワー変更パターン＃１２は、２×２の画素の左上、左下および右上の３つの画素をオンとするパターンである。パワー変更パターン＃１３は、２×２の画素の左上、右上および右下の３つの画素をオンとするパターンである。
【０１４９】
パワー変更パターン＃１４は、２×２の画素の全てをオンとするパターンである。
【０１５０】
図３３は、パワー変更をした場合の処理例を示す図である。第１変換部３２６３は、一例として、予め定められた幅以下の線または文字を形成する場合には、光源２２００のパワーを通常よりも大きくし、これ以外の場合には、光源２２００のパワーを通常とするようなパワー変更パターンを出力する。これにより、例えば、図３３に示すように、パワー制御部３２７１は、黒画素を細線化することにより線幅が４８００ｄｐｉの２画素分となってしまい通常のパワーでは露光量が少なくなるような場合であっても、十分に強いパワー（例えば、露光パワー２００％）で露光させ、品質の高い細線を形成させることができる。
【０１５１】
図３４は、タグ情報の割り当て例を示す図である。タグ生成部３２２６は、１２００ｄｐｉの画像データのそれぞれの画素が、文字または線を構成する画素であるか否かを示すタグ情報を生成する。そして、タグ生成部３２２６により生成されたタグ情報は、位置補正部３２２４および階調処理部３２２５を介して、駆動制御ユニット３１０３へと渡される。
【０１５２】
ここで、位置補正部３２２４は、対応する画素（１２００ｄｐｉ）の濃度データおよびエッジ方向に応じて、タグ情報の割り当てを変更してもよい。例えば、図３４に示すように、位置補正部３２２４は、画像データ（１２００ｄｐｉ）の画素の濃度を１０段階に分け、エッジの方向を４方向に分けて、濃度および位相に応じて画素値（黒画素または白画素）およびタグ情報（タグ有り、タグ無し）を変更してもよい。これにより、解像度変換部３２５２は、より詳細な条件に一致する領域を第１解像度の画像データから検出することができる。
【０１５３】
以上のように、本実施形態に係るカラープリンタ２０００によれば、画像データのデータ転送量を増加させることなく、高い解像度での画像処理を実行して高画質化を実現することができる。
【符号の説明】
【０１５４】
２０００  カラープリンタ
２０１０  光走査装置
２０３０ａ，２０３０ｂ，２０３０ｃ，２０３０ｄ  感光体ドラム
２０３１ａ，２０３１ｂ，２０３１ｃ，２０３１ｄ  クリーニングユニット
２０３２ａ，２０３２ｂ，２０３２ｃ，２０３２ｄ  帯電装置
２０３３ａ，２０３３ｂ，２０３３ｃ，２０３３ｄ  現像ローラ
２０３４ａ，２０３４ｂ，２０３４ｃ，２０３４ｄ  トナーカートリッジ
２０４０  転写ベルト
２０４２  転写ローラ
２０５０  定着ローラ
２０５４  給紙コロ
２０５６  レジストローラ対
２０５８  排紙ローラ
２０６０  給紙トレイ
２０７０  排紙トレイ
２０８０  通信制御装置
２０９０  プリンタ制御装置
２１０４  ポリゴンミラー
２１０５ａ，２１０５ｂ，２１０５ｃ，２１０５ｄ  走査レンズ
２１０６ａ，２１０６ｂ，２１０６ｃ，２１０６ｄ，２１０８ｂ，２１０８ｃ  折り返しミラー
２２００ａ，２２００ｂ，２２００ｃ，２２００ｄ  光源
２２０１ａ，２２０１ｂ，２２０１ｃ，２２０１ｄ  カップリングレンズ
２２０２ａ，２２０２ｂ，２２０２ｃ，２２０２ｄ  開口板
２２０４ａ，２２０４ｂ，２２０４ｃ，２２０４ｄ  シリンドリカルレンズ
２２４５  濃度検出器
２２４６ａ，２２４６ｂ，２２４６ｃ，２２４６ｄ  ホームポジションセンサ
３１０１  インターフェイスユニット
３１０２  画像処理ユニット
３１０３  駆動制御ユニット
３２１１  フラッシュメモリ
３２１２  ＲＡＭ
３２１３  ＩＦ回路
３２１４  ＣＰＵ
３２２０  属性分離部
３２２１  色変換部
３２２２  墨生成部
３２２３  ガンマ補正部
３２２４  位置補正部
３２２５  階調処理部
３２２６  タグ生成部
３２３２  クロック生成部
３２３３  変調信号生成部
３２３４  光源駆動部
３２５１  バッファメモリ
３２５２  解像度変換部
３２５３  ガンマ変換部
３２６１  イメージマトリクス取得部
３２６２  パターンマッチング部
３２６３  第１変換部
３２６４  第２変換部
３２６５  セレクタ
３２７１  パワー制御部
【先行技術文献】
【特許文献】
【０１５５】
【特許文献１】特許４９６８９０２号公報
【特許文献２】特許４６４０２５７号公報
【特許文献３】特開２００８−８５４８７号公報
【図１】
2016021664.tif 000003
【図２】
2016021664.tif 000004
【図３】
2016021664.tif 000005
【図４】
2016021664.tif 000006
【図５】
2016021664.tif 000007
【図６】
2016021664.tif 000008
【図７】
2016021664.tif 000009
【図８】
2016021664.tif 000010
【図９】
2016021664.tif 000011
【図１０】
2016021664.tif 000012
【図１１】
2016021664.tif 000013
【図１２】
2016021664.tif 000014
【図１３】
2016021664.tif 000015
【図１４】
2016021664.tif 000016
【図１５】
2016021664.tif 000017
【図１６】
2016021664.tif 000018
【図１７】
2016021664.tif 000019
【図１８】
2016021664.tif 000020
【図１９】
2016021664.tif 000021
【図２０】
2016021664.tif 000022
【図２１】
2016021664.tif 000023
【図２２】
2016021664.tif 000024
【図２３】
2016021664.tif 000025
【図２４】
2016021664.tif 000026
【図２５】
2016021664.tif 000027
【図２６】
2016021664.tif 000028
【図２７】
2016021664.tif 000029
【図２８】
2016021664.tif 000030
【図２９】
2016021664.tif 000031
【図３０】
2016021664.tif 000032
【図３１】
2016021664.tif 000033
【図３２】
2016021664.tif 000034
【図３３】
2016021664.tif 000035
【図３４】
2016021664.tif 000036